(57)【要約】【課題】  非接触バッテリーシステムを携帯機器に高効率に応用する。【解決手段】二次側コイルを有するバッテリーケースと、一次側コイルを有し電磁誘導により非接触で前記二次側コイルへ電源を供給可能な非接触バッテリーとで構成されるバッテリーシステムであり、前記バッテリーケース側に設置され二次側コイルを擁する可動筐体がバッテリーケースに対して移動可能に構成され、前記非接触バッテリーを前記バッテリーケースに装着時、前記可動筐体がバッテリーロックと位置決めとを兼ねることを特徴としたバッテリーシステム。【選択図】  図８
2012120277.tif 000002
【特許請求の範囲】
【請求項１】
二次側コイルを有するバッテリーケースと、一次側コイルを有し電磁誘導により非接触で前記二次側コイルへ電源を供給可能な非接触バッテリーとで構成されるバッテリーシステムであり、前記バッテリーケース側に設置され二次側コイルを擁する可動筐体がバッテリーケースに対して移動可能に構成され、前記非接触バッテリーを前記バッテリーケースに装着時、前記可動筐体がバッテリーロックと位置決めとを兼ねることを特徴としたバッテリーシステム。
【請求項２】
前記バッテリーケースは複数の二次側コイルを有し、前記非接触バッテリーは複数の一次側コイルを有し、前記バッテリーケースに複数の前記非接触バッテリーを同時に装着可能に構成したことを特徴とする請求項１に記載のバッテリーシステム。
【発明の詳細な説明】
【技術分野】
【０００１】
本発明は、非接触で電力を受給・供給するバッテリーシステムに係り、またこのシステムを応用した携帯型電子機器に関するものである。
【背景技術】
【０００２】
近年、デジタルカメラや電動歯ブラシ、ＰＤＡ、携帯電話といった携帯機器において、携帯機器本体側に二次電池及び二次電池を充電するためのと接点を有し、クレードル側に設置された一次側の電源供給部及び一次側の接点と、携帯機器側の接点を結合させ二次電池を充電するといった充電システムを有する電子機器が一般的である。この中でも、電動歯ブラシなどは水滴による感電を防止するため、電磁誘導を利用し、無接点で二次電池を充電するようなシステムを採用している。この技術を使用した携帯機器の一例として、下記特許文献１のようなデジタルカメラの充電システムが挙げられる。
【０００３】
この発明によると、充電側の電源供給源と、電圧を電磁誘導変換する電源電圧変換手段と、電源電圧変換手段を制御する制御手段と、誘導起電力を受けて充電用エネルギーを非接触で非充電側の二次電池に充電させる、非接触型の充電装置を実現している。電源供給源を一次電池とし、デジタルカメラ本体側に二次電池を設置することで、屋外でも良好にデジタルカメラの非接触充電が可能となる。
【０００４】
しかしながら、この発明によると一次側電池及び二次側電池の配置位置や、実際に一次側電池をデジタルカメラ本体に装着する際の装着方法など、携帯機器としてのメカ的な構造は考慮されておらず、この充電システムを携帯機器に応用する際の効果的な実現方法の記載まで至っていない。
【０００５】
また、非接触充電のうち複数の二次側電池（二次側コイル）を有する電子機器とその充電システムの一例として、下記特許文献２のようなデジタルカメラの充電システムが挙げられる。
【０００６】
この発明によると、少なくとも２つ以上の二次コイルを有する電気機器を充電テーブルに載置して、充電テーブルに備えられた一次コイルと電気機器側の二次コイルを電磁的に結合させる充電システムであり、さらに二次コイルの磁場受信状態を検出する検出手段とその表示手段を有し、電気機器を充電する際に充電効率の高い位置に電気機器を載置させることが可能となる。
【０００７】
この発明では複数の二次コイルを電気機器側に設置してはいるものの、受電テーブル側には単一の一次コイルのみ配置されている。充電効率の高い位置に二次電池（電気機器）を載置可能ではあるが、例えば、屋外での充電や一次コイル側を電気機器側に装着するなどといった記載はなく、根本的に非接触充電システムを携帯機器等に応用可能にするシステムではない。
【先行技術文献】
【特許文献】
【０００８】
【特許文献１】特開平11-289679号公報
【特許文献２】特開2006-203997号公報
【発明の概要】
【発明が解決しようとする課題】
【０００９】
非接触バッテリーシステムを携帯機器に高効率に応用することを想定した場合、下記のような課題が挙げられる。
【００１０】
・給電側の一次コイルと受電側の二次コイルの中心軸がお互いにずれてしまうと、著しい電力供給効率の低下する為、非接触バッテリーシステムでは一次コイル及び二次コイルが各々同心円上に配置される必要がある。
【００１１】
・給電側の一次コイルと受電側の二次コイルが離間した位置に配置されると、著しく電力供給効率が低下する為、非接触バッテリーシステムでは一次コイルと二次コイルは各々近接した位置に配置する必要がある。
【００１２】
前述した従来例によると、これらの非接触バッテリーの特徴を鑑み携帯機器に非接触バッテリーを応用した際の、一次コイル及び二次コイルの配置及びメカ的構造に関する記述はなく、非接触バッテリーシステムを効果的に携帯機器に応用するに至っていない。
【課題を解決するための手段】
【００１３】
本発明は、二次側コイルを有するバッテリーケースと、一次側コイルを有し電磁誘導により非接触で前記二次側コイルへ電源を供給可能な非接触バッテリーとで構成されるバッテリーシステムであり、前記バッテリーケース側に設置され二次側コイルを擁する可動筐体がバッテリーケースに対して移動可能に構成され、前記非接触バッテリーを前記バッテリーケースに装着時、前記可動筐体がバッテリーロックと位置決めとを兼ねることを特徴としている。このことにより、非接触バッテリーを本体側に装着した際、一次側コイルと二次側コイルの位置が同心円上に安定して決まり、さらに各々のコイルが近接して配置されることとなるため、電力供給効率の高いバッテリーシステムを有する電子機器の実現が可能となる。
【００１４】
また、本発明の他の特徴とするところは、前記バッテリーケースは複数の二次側コイルを有し、前記非接触バッテリーは複数の一次側コイルを有し、前記バッテリーケースに複数の前記非接触バッテリーを同時に装着可能に構成したことを特徴としている。このことにより、複数の非接触バッテリーを同時に本体に装着可能となり、例えばあるひとつの非接触バッテリーの充電が低下しても他の充電された非接触バッテリーを装着することで、連続して電子機器を稼動させることが可能となる。
【発明の効果】
【００１５】
以上説明したように、本発明によれば、非接触バッテリーを電子機器本体側に装着した際、円形の一次側コイルと二次側コイルの位置が同心円上に安定して決まり、さらに各々のコイルが近接して配置されるため、電力供給効率の高いバッテリーシステムを有する電子機器の実現が可能となる。
【００１６】
また、複数の非接触バッテリーを同時に電子機器本体に装着可能となり、電子機器の動作中にひとつの非接触バッテリーの充電が低下しても他の充電された非接触バッテリーを装着することで、連続して電子機器を稼動させることが可能となる
【図面の簡単な説明】
【００１７】
【図１】第一の実施例に係るバッテリーケースユニットの正面斜視図
【図２】第一の実施例に係るバッテリーケースユニットの背面斜視図
【図３】第一の実施例に係るバッテリーケースユニットの背面分解斜視図
【図４】第一の実施例に係るバッテリーユニットの背面斜視図
【図５】第一の実施例に係るバッテリーユニットの正面分解斜視図
【図６】第一の実施例に係るバッテリーユニット装着正面斜視図
【図７】第一の実施例に係るバッテリーユニット装着途中断面図
【図８】第一の実施例に係るバッテリーユニット装着断面図
【図９】第二の実施例に係る複数バッテリーケースユニット正面斜視図
【図１０】第二の実施例に係る複数バッテリーユニット背面斜視図
【図１１】第二の実施例に係る複数バッテリーユニット装着正面斜視図
【図１２】第二の実施例に係る複数バッテリーユニット装着正面斜視図
【発明を実施するための形態】
【００１８】
［実施例１］
本実施例では本発明を、携帯機器等に搭載可能なバッテリーケースユニットおよびバッテリーユニットによる非接触バッテリーシステムに応用して説明する。
【００１９】
図１に本発明の第一の実施例に係る携帯機器本体を構成するバッテリーケースユニットを正面側から見た際の斜視図、図２には本発明の第一の実施例に係るバッテリーケースユニットを背面側からみた際の斜視図、図３には本発明の第一の実施例に係るバッテリーケースユニットを背面側からみた際の分解図をそれぞれ示す。尚、本実施例においては、図１面視を正面、正面からみて右側の面を右側面、正面からみて左側の面を左側面、正面から見て上側の面を上面、正面から見て下側の面を底面、正面と対向する面を背面とする。また、このとき図１に矢印Ａで示される方向を上面側を上方向・底面側を下方向とした上下方向、矢印Ｂで示される方向を正面側を前方向・背面側を後方向とした前後方向とする。
【００２０】
（バッテリーケースユニットの符号の説明）
図１及び図２及び図３を使って、本実施例に係るバッテリーケースユニットの構成を説明する。
【００２１】
図１において、１０は本実施例に係るバッテリーケースユニット、１０１はバッテリーケースユニットの各要素を内部に配置するバッテリーケース、１０２はバッテリーケース１０１に対して前後方向に移動可能な稼動筐体、１０３はバッテリーケース１０１及び可動筐体１０２と一体に成型された弾性部材、１０４はバッテリーケース１０１の正面側に設けられたレール、１０５は可動筐体１０２に締結される二次コイル基板、１０６は二次コイル基板に実装された二次コイル、１０７は二次コイル基板に実装されたコイル基板コネクタ、１０８はバッテリーケース１０１の左側面側に配置されバッテリーケースに対して前後方向に摺動可能に取り付けられたロックノブ、１０９はロックノブ１０８と連動するロック連動部材、１１０はロック連動部材１０９を正面方向に付勢する付勢部材、１１１はバッテリーケース１０１に設けられ、ロックノブ１０８及びロック連動部材１０９及び付勢部材１１０と嵌合し、ロックノブ１０８及びロック連動部材１０９及び付勢部材１１０のそれぞれが連動して前後方向に摺動可能にする摺動ボス、１１２はバッテリーケースユニットの各要素を内部にホールドするケースホルダー、１１３は二次コイル基板１０５と電気的に結合し二次コイル基板１０５からの電力を図示しない携帯機器本体基板に供給可能な制御基板、１１４は制御基板１１３に実装された制御基板コネクタ、１１５は二次コイル基板１０５と制御基板１１４とを電気的に連結する連結ＦＰＣ、をそれぞれ表す。
【００２２】
（バッテリーケースの構造）
可動筐体１０２はバッテリーケース１０１に対して弾性部材１０３を介して前後方向に移動可能に構成されている。可動筐体１０２及び弾性部材１０３及びバッテリーケース１０１は他材料一体成型技術を使って一体に成型されているため各々の部材が隙間なく連結されており、防水・防塵等の効果を期待できる。
【００２３】
バッテリーケース１０１の内部には、図３に示すような前後方向が長て方向となる摺動ボス１１１が形成されている。摺動ボス１１１の根元には受け面が形成される。この摺動ボス１１１にはロックノブ１０８とロック連動部材１０９、付勢部材１１０が係合される。ロックノブ１０８摺動ボス１１１とバッテリーケース１０１の左側面凹部に挟まれ、且つ摺動ボス１１１がバッテリーノブ１０８に設けられた穴部と係合し、移動方向が前後方向へと規制される。
【００２４】
ロック連動部材１０９は、ロックノブ１０８の背面側に設置され、摺動ボス１１１とロック連動部材１０９に設けられた穴部に係合され移動方向が前後方向へと規制される。またロックノブ１０８とロックノブ連動部材１０９は各々一面が当接しており、ロックノブ１０８とロック連動部材１０９は前後方向に連動する。さらにロック連動部材１０９の一端にはリブ状の凸形状１０９aが形成され、この凸形状は可動筐体１０２に設けられた図示しない穴部と係合することで、ロック連動部材１０９は可動筐体１０２とも連動する。
【００２５】
付勢部材１１０は前後方向に長て方向を持つねじりコイル圧縮バネであり、ロック連動部材１０９の背面側にロック連動部材１０９の一面に当接しながら設置され、摺動ボス１１１に係合されることで伸縮方向が前後方向へと規制される。
【００２６】
ケースホルダー１１２は、付勢部材１１０の背面側に配置され、摺動ボス１１１がケースホルダー１１２の穴部に嵌合し、バッテリーケース１０１に対して４箇所のビスによって締結され、付勢部材１１０を正面方向に向かって付勢させた状態で、バッテリーケース１０１の背面側を覆い固定される。このため、正面方向に向かって付勢された付勢部材１１０によって、ロック連動部材１０９も正面方向に付勢され、これと連動するロックノブ１０８及び可動筐体１０２も同様に正面方向に付勢される。このとき、可動筐体１０２と一体に成型された弾性部材１０３も同様に正面方向へと伸張される。ロックノブ１０８はロックノブ１０８の一面が摺動ボス１１１の根元に設置された受け面に当接する位置まで正面方向へ移動する。
【００２７】
逆に、ロックノブ１０８を背面方向に操作すると、これと連動するロック連動部材１０９及び可動筐体１０２は背面方向へ移動する。この際、可動筐体１０２と一体に成型された弾性部材１０３も同様に背面方向へと伸張される。
【００２８】
一方、二次コイル基板１０５は可動筐体１０２に対して２本のビスで締結される。二次コイル基板１０５の正面側には二次コイル１０６が実装され、背面側にはコイル基板コネクタ１０７が実装される。このように構成することで可動筐体１０２の正面側の面と二次コイル１０６を近接させて配置することが可能となる。コイル基板コネクタ１０７には連結ＦＰＣ１１５の一端が接続される。
【００２９】
また、制御基板１１３はケースホルダー１１２の背面側に配置され２本のビスによって締結される。制御基板１１４の背面側には制御基板コネクタ１１４が実装され、ケースホルダー１１２に設けられた角穴部を通って背面側に現前する連結ＦＰＣ１１５の一端と接続される。
【００３０】
図４に本発明の第一の実施例に係るバッテリーユニットを背面側から見た際の斜視図、図５には本発明の第一の実施例に係るバッテリーユニットを正面側からみた際の分解図をそれぞれ示す。
【００３１】
（バッテリーケースユニットの符号の説明）
図４及び図５使って、本実施例に係るバッテリーユニットの構成を説明する。
【００３２】
図４において、２０は本実施例に係るバッテリーユニット、２０１はバッテリーユニットの各要素を内部に配置するバッテリー筐体、２０２はバッテリー筐体２０１の一面に設けられた凹部、２０３はバッテリー筐体２０１の両側面に設けられた切り欠き部、２０４はバッテリー筐体２０１の内部に締結される一次コイル基板、２０５は一次コイル基板２０４に実装された一次コイル、２０６は一次コイル基板２０４に実装されLiバッテリー、２０７はバッテリー筐体２０１の一面を覆い図示しないシール部材によってバッテリー筐体２０１を密閉するバッテリー筐体カバー、をそれぞれ表す。
【００３３】
（バッテリーユニット装着の説明）
図６にバッテリーユニット２０をバッテリーケースユニット１０に装着した状態を正面から見た際の斜視図を示す。また、図７a及び図７bにはバッテリーユニット２０をバッテリーケースユニット１０に装着途中の状態を断面図（右側面視）で示す。また、図８にはバッテリーユニット２０をバッテリーケースユニット１０に装着した状態を断面図（右側面視）で示す。
【００３４】
バッテリーユニット２０をバッテリーケースユニット１０に装着する際は、バッテリーユニット２０をバッテリーユニット１０の上面側もしくは底面側から上下方向にスライドさせて装着する。
【００３５】
図７a及び図７bは上面側から、バッテリーユニット２０をバッテリーケース１０に装着させた場合を示す図である。この際、バッテリーケース２０の両側面の切り欠き部２０３に、バッテリーケースユニット１０のレール部１０４が係合し、バッテリーケース２０の前後方向の動きを規制する。
【００３６】
可動筐体１０２は付勢部材１１０によって、バッテリーケース１０１の正面側の面より凸方向突出しており、且つ可動筐体１０２の正面側の面は全周面取り部が設けられている。
【００３７】
バッテリーユニット２０をレール部１０４に沿って上面から底面側へスライドさせていく過程で、バッテリーユニット１０の底面側の端部が可動筐体１０２の面取り部当接する（図７a）。可動筐体１０２は前後方向に移動可能であるのに対し、装着途中のバッテリーユニット２０はレール１０４によってい前後方向の動きが規制されているため、当接後バッテリーユニット２０をさらに底面側へスライドさせると、可動筐体１０２は背面側に移動する（図７b）。この時、弾性部材１０３は背面側に伸張し、連結ＦＰＣ１１５も背面側に突出することとなる。
【００３８】
さらに、可動筐体１０２とバッテリー凹部２０２が同心円上にくる位置までバッテリーユニット２０をスライドさせると、正面側に付勢された可動筐体１０２が、バッテリー凹部２０２に嵌合する（図８）。可動筐体１０２とバッテリーユニット２０の位置関係は、可動筐体１０２の外周とバッテリー凹部２０２の内周によって同心円状に決まる。同時に、可動筐体１０２とバッテリーユニット２０が内蔵する二次コイル１０６及び一次コイル２０５も同心円状に位置が決まる。このように各コイルの中心位置が同心円状に配置されることによって、高効率に電力の授受が可能となる。この時、可動筐体１０２の外周とバッテリー凹部２０２の内周が当接することで、バッテリーユニット２０の上下方向の動きが規制され、バッテリーユニット２０をバッテリーケースユニット１０にロックするされる。
【００３９】
また、可動筐体１０２は正面側に付勢されているため、可動筐体１０２の一面とバッテリー凹部の一面が当接し、バッテリーユニット２０を正面方向へ押圧する。この時、二次コイル１０６及び一次コイル２０５は当接した各面のすぐ裏側に配置されているため、各々が近接された位置に配置されることとなり、高効率に電力の授受が可能となる。
【００４０】
（ロック解除の様子）
バッテリーユニット２０のロックを解除する場合は、ロックノブ１０８を背面方向に移動させる。この時、ロックノブ１０８と連動する可動筐体１０２も背面方向へと移動し、バッテリーユニット２０のバッテリー凹部２０２から可動筐体１０２が脱し、バッテリーユニット２０が上下方向に移動可能となりロックが解除され、バッテリーユニット２０をとりはずすことができる。
【００４１】
［実施例２］
本実施例では本発明を、携帯機器等に搭載可能で且つ複数のバッテリーを装着可能な複数バッテリーケースユニットおよび複数バッテリーユニットによる非接触バッテリーシステムに応用して説明する。
【００４２】
図９に本発明の第二の実施例に係る携帯機器本体を構成する複数バッテリーケースユニットを正面側から見た際の斜視図、図１０には本発明の第二の実施例に係る複数バッテリーユニットを背面からみた際の斜視図をそれぞれ示す。尚、本実施例においては、図９面視を正面、正面からみて右側の面を右側面、正面からみて左側の面を左側面、正面から見て上側の面を上面、正面から見て下側の面を底面、正面と対向する面を背面とする。また、このとき図９に矢印Ａで示される方向を上面側を上方向・底面側を下方向とした上下方向、矢印Ｂで示される方向を正面側を前方向・背面側を後方向とした前後方向とする。
【００４３】
尚、本実施例に係るバッテリーシステムを構成する要素は、第一の実施例に係るバッテリーと略同一であるため、他図と同様の構成要素には同じ符号を付すまたは図示を省略する。
【００４４】
図９に示すように、本実施例に係る複数バッテリーケースユニットは、第一の実施例に示したバッテリーケースユニットに対して、可動筐体及びその内部に配置された二次コイル基板・二次コイルが複数個設置されたことを特徴とする。図９において３０は複数バッテリーケースユニット、３０１は複数バッテリーケースユニットの各要素を内部に配置する複数バッテリーケース、３０２aは複数バッテリーケース３０１に対して前後方向に移動可能で複数バッテリーケース３０１正面の面の上方に設けられた可動筐体a、３０２bは複数バッテリーケース３０１に対して前後方向に移動可能で複数バッテリーケース３０１正面の面の下方に設けられた可動筐体b、３０３は複数バッテリーケース３０１の正面側に設けられたレール、をそれぞれ表す。尚、可動筐体a/b の内部には各々第一の実施例と同様、二次コイル基板及び二次コイルが配置される。
【００４５】
図１０に第二の実施例に係る複数バッテリーユニットの斜視図を示す。本実施例に係る複数バッテリーユニットは、第一の実施例に示したバッテリーユニットに対して、バッテリー凹部及びその内部に配置された一次コイル基板・一次コイルが複数個設置されたことを特徴とする。図１０において、４０aは複数バッテリーユニット、４０１は複数バッテリーユニットの各要素を内部に配置する複数バッテリー筐体、４０２aは複数バッテリー筐体４０１の一面の上方に設けられたバッテリー凹部a、４０２bは複数バッテリー筐体４０１の一面の下方に設けられたバッテリー凹部b、４０３は複数バッテリー筐体４０１の両側面に設けられた切り欠き部、をそれぞれ表す。尚、バッテリー凹部a/b の内部には各々第一の実施例と同様、一次コイル基板及び一次コイルが配置される。
【００４６】
図１１に複数バッテリーユニット４０aを複数バッテリーケースユニット３０に装着した状態を示す。複数バッテリーユニットを装着する際は第一の実施例と同様に、切り欠き部４０３とレール３０３を係合させて、上面側もしくは底面側から複数バッテリーユニット４０aをスライドさせて装着する。可動筐体a/bの移動方法及びロック方法も第一の実施例と同様である。複数バッテリーユニット４０aの装着状態では、可動筐体a３０２aとバッテリー凹部 a４０２aが一対に嵌合し、可動筐体b３０２bとバッテリー凹部 b４０２bが一対に嵌合する。この時、各々a/bの一次コイル及び二次コイルを使って同時に電力を伝送させることにより、第一の実施例のような単数のコイルを有するバッテリーシステムと比較して、大きな電力を伝送することが可能となる。
【００４７】
図１２に複数バッテリーユニットa４０a及び複数バッテリーユニットb４０bを、同時に複数バッテリーケースユニット３０に装着した状態を示す。複数バッテリーユニットb４０bの構成要素は複数バッテリーユニットa４０aと同様であるため、符号及び図示は省略する。複数バッテリーユニットa４０aは複数バッテリーケースユニット３０の上面側から装着し、複数バッテリーユニットb４０bは複数バッテリーケースユニット３０の底面側から装着する。装着時、切り欠き部４０３とレール３０３を係合させて、複数バッテリーユニットa/b４０a/bをスライドさせて装着する。可動筐体a/bの移動方法及びロック方法は第一の実施例と同様である。
【００４８】
複数バッテリーユニットa/b４０a/bの装着状態では、可動筐体a３０２aと複数バッテリーユニットa４０aのバッテリー凹部b４０２bが一対に嵌合し、可動筐体b３０２bと複数バッテリーユニットb４０bのバッテリー凹部a４０２aが一対に嵌合する。この時、各々a/bの一次コイル及び二次コイルはそれぞれ独立して電力を伝送する。このため、例えば複数バッテリーユニットb４０bの残充電がなくなっても、複数バッテリーユニットa４０aを使って電力伝送を行うことが可能であり、その間に複数バッテリーユニットb４０bを他の満充電された複数バッテリーユニットに交換することができる。このシステムを携帯機器に応用することにより、携帯機器の動作中にひとつの複数バッテリーユニットの充電が低下しても他の充電された複数バッテリーユニットを装着することで、連続して電子機器を稼動させることが可能となる。
【００４９】
尚、本発明は本実施例の形態に限らず、本実施例で挙げたようなバッテリーシステムを応用可能な電子機器において、有効に適応可能である。
【符号の説明】
【００５０】
10…バッテリーケースユニット
101…バッテリーケース
102…可動筐体
103…弾性部材
104…レール
105…二次コイル基板
106…二次コイル
107…コイル基板コネクタ
108…ロックノブ
109…ロック連動部材
109a…凸形状
110…付勢部材
111…摺動ボス
112…ケースホルダー
113…制御基板
114…制御基板コネクタ
115…連結ＦＰＣ
20…バッテリーユニット
201…バッテリー筐体
202…バッテリー凹部
203…切り欠き部
204…一次コイル基板
205…一次コイル
206…Liバッテリー
207…バッテリー筐体カバー
30…複数バッテリーケースユニット
301…複数バッテリーケース
302a…可動筐体a
302b…可動筐体b
303…レール
40a…複数バッテリーユニットa
40b…複数バッテリーユニットb
401…バッテリー筐体
402a…バッテリー凹部a
402b…バッテリー凹部b
403…切り欠き部
【図１】
2012120277.tif 000003
【図２】
2012120277.tif 000004
【図３】
2012120277.tif 000005
【図４】
2012120277.tif 000006
【図５】
2012120277.tif 000007
【図６】
2012120277.tif 000008
【図７】
2012120277.tif 000009
【図８】
2012120277.tif 000010
【図９】
2012120277.tif 000011
【図１０】
2012120277.tif 000012
【図１１】
2012120277.tif 000013
【図１２】
2012120277.tif 000014